【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
記録材上の画像を加熱する画像加熱部材と、
空気を送風する送風部と、
前記送風部から前記画像加熱部材の長手方向端部に向けて送風される空気を導くと共に、開口部を有するダクトと、
前記ダクトの開口部をスライドすることによって開閉し、前記開口部を全閉する閉位置を有するシャッタと、
前記シャッタと共に移動可能な複数の突出部であって、前記複数の突出部のそれぞれが移動方向に関して幅を有し、最も幅が小さい最小突出部を含む複数の突出部と、
前記複数の突出部の少なくとも１つを検知する検知センサと、
前記シャッタの動作を制御する制御部であって、前記シャッタを開いている間に前記検知センサによって前記突出部の何れか１つを検知することに基づいて所定位置に前記シャッタを停止させ、前記閉位置に前記シャッタを閉じている間に前記検知センサによって前記最小突出部を検知することに基づいて前記シャッタを停止させる制御部と、を備えたことを特徴とする画像加熱装置。
【請求項２】
前記送風部は、送風ファンを有することを特徴とする、請求項１に記載の画像加熱装置。
【請求項３】
前記画像加熱部材は、長手方向に関して一端部と他端部とを有し、
前記ダクトは、前記画像加熱部材の前記一端部と前記他端部とのそれぞれに向けて空気を導く第１開口部と第２開口部とを有し、
前記シャッタは、前記第１開口部と前記第２開口部とのそれぞれに設けられた第１シャッタと第２シャッタを含むことを特徴とする、請求項１又は２に記載の画像加熱装置。
【請求項４】
前記第１シャッタと前記第２シャッタに駆動力を伝達する駆動機構を備えたことを特徴とする、請求項３に記載の画像加熱装置。
【請求項５】
前記複数の突出部は、前記シャッタと一体に形成されていることを特徴とする、請求項１ないし４の何れか１項に記載の画像加熱装置。
【請求項６】
前記検知センサは、前記シャッタの光路を光が通過することでＯＮ信号を、前記シャッタの光路が遮られることでＯＦＦ信号を出力するフォトセンサであることを特徴とする、請求項１ないし５の何れか１項に記載の画像加熱装置。
【請求項７】
前記シャッタの閉位置は、前記シャッタのホームポジションであることを特徴とする、請求項１ないし６の何れか１項に記載の画像加熱装置。
【請求項８】
前記制御部は、前記シャッタを開いている間に、記録材の搬送方向に直交する方向の記録材の幅に対応する前記複数の突出部の１つの突出部を前記検知センサによって検知することに基づいて、前記シャッタを停止することを特徴とする、請求項１ないし７の何れか１項に記載の画像加熱装置。
【請求項９】
前記画像加熱部材の端部の温度を検知する温度検知部材を備え、
前記制御部は、前記温度検知部材の出力に基づいて前記シャッタの動作を制御することを特徴とする、請求項８に記載の画像加熱装置。
【請求項１０】
記録材上の画像を加熱する画像加熱部材と、
空気を送風する送風部と、
前記送風部から前記画像加熱部材の長手方向端部に向けて送風される空気を導くと共に、開口部を有するダクトと、
前記ダクトの開口部をスライドすることによって開閉し、前記開口部を全閉する閉位置を有するシャッタと、
前記シャッタと共に移動可能な複数の凹部であって、前記複数の凹部のそれぞれが移動方向に関して幅を有し、最も幅が小さい最小凹部を含む複数の凹部と、
前記複数の凹部の少なくとも１つを検知する検知センサと、
前記シャッタの動作を制御する制御部であって、前記シャッタを開いている間に前記検知センサによって前記凹部の何れか１つを検知することに基づいて所定位置に前記シャッタを停止させ、前記閉位置に前記シャッタを閉じている間に前記検知センサによって前記最小凹部を検知することに基づいて前記シャッタを停止させる制御部と、を備えたことを特徴とする画像加熱装置。
【請求項１１】
前記送風部は、送風ファンを有することを特徴とする、請求項１０に記載の画像加熱装置。
【請求項１２】
前記画像加熱部材は、長手方向に関して一端部と他端部とを有し、
前記ダクトは、前記画像加熱部材の前記一端部と前記他端部とのそれぞれに向けて空気を導く第１開口部と第２開口部とを有し、
前記シャッタは、前記第１開口部と前記第２開口部とのそれぞれに設けられた第１シャッタと第２シャッタを含むことを特徴とする、請求項１０又は１１に記載の画像加熱装置。
【請求項１３】
前記第１シャッタと前記第２シャッタに駆動力を伝達する駆動機構を備えたことを特徴とする、請求項１２に記載の画像加熱装置。
【請求項１４】
前記複数の凹部は、前記シャッタと一体に形成されていることを特徴とする、請求項１０ないし１３の何れか１項に記載の画像加熱装置。
【請求項１５】
前記検知センサは、前記シャッタの光路を光が通過することでＯＮ信号を、前記シャッタの光路が遮られることでＯＦＦ信号を出力するフォトセンサであることを特徴とする、請求項１０ないし１４の何れか１項に記載の画像加熱装置。
【請求項１６】
前記シャッタの閉位置は、前記シャッタのホームポジションであることを特徴とする、請求項１０ないし１５の何れか１項に記載の画像加熱装置。
【請求項１７】
前記制御部は、前記シャッタを開いている間に、記録材の搬送方向に直交する方向の記録材の幅に対応する前記複数の凹部の１つの凹部を前記検知センサによって検知することに基づいて、前記シャッタを停止することを特徴とする、請求項１０ないし１６の何れか１項に記載の画像加熱装置。
【請求項１８】
前記画像加熱部材の端部の温度を検知する温度検知部材を備え、
前記制御部は、前記温度検知部材の出力に基づいて前記シャッタの動作を制御することを特徴とする、請求項１７に記載の画像加熱装置。
【手続補正２】
【補正対象書類名】明細書
【補正対象項目名】発明の名称
【補正方法】変更
【補正の内容】
【発明の名称】画像加熱装置
【手続補正３】
【補正対象書類名】明細書
【補正対象項目名】０００１
【補正方法】変更
【補正の内容】
【０００１】
本発明は、画像加熱装置に関し、画像加熱装置は、例えば、電子写真方式等を用いた、複写機、プリンタ、ＦＡＸ、及びそれらの機能を複数備えた複合機等の画像形成装置に搭載される、記録材上に形成されたトナー像を加熱定着する定着装置として用い得る。
【手続補正４】
【補正対象書類名】明細書
【補正対象項目名】００１６
【補正方法】変更
【補正の内容】
【００１６】
本発明に係る画像加熱装置は、記録材上の画像を加熱する画像加熱部材と、空気を送風する送風部と、前記送風部から前記画像加熱部材の長手方向端部に向けて送風される空気を導くと共に、開口部を有するダクトと、前記ダクトの開口部をスライドすることによって開閉し、前記開口部を全閉する閉位置を有するシャッタと、前記シャッタと共に移動可能な複数の突出部であって、前記複数の突出部のそれぞれが移動方向に関して幅を有し、最も幅が小さい最小突出部を含む複数の突出部と、前記複数の突出部の少なくとも１つを検知する検知センサと、前記シャッタの動作を制御する制御部であって、前記シャッタを開いている間に前記検知センサによって前記突出部の何れか１つを検知することに基づいて所定位置に前記シャッタを停止させ、前記閉位置に前記シャッタを閉じている間に前記検知センサによって前記最小突出部を検知することに基づいて前記シャッタを停止させる制御部と、を備えたことを特徴とする。
また、本発明に係る画像加熱装置は、記録材上の画像を加熱する画像加熱部材と、空気を送風する送風部と、前記送風部から前記画像加熱部材の長手方向端部に向けて送風される空気を導くと共に、開口部を有するダクトと、前記ダクトの開口部をスライドすることによって開閉し、前記開口部を全閉する閉位置を有するシャッタと、前記シャッタと共に移動可能な複数の凹部であって、前記複数の凹部のそれぞれが移動方向に関して幅を有し、最も幅が小さい最小凹部を含む複数の凹部と、前記複数の凹部の少なくとも１つを検知する検知センサと、前記シャッタの動作を制御する制御部であって、前記シャッタを開いている間に前記検知センサによって前記凹部の何れか１つを検知することに基づいて所定位置に前記シャッタを停止させ、前記閉位置に前記シャッタを閉じている間に前記検知センサによって前記最小凹部を検知することに基づいて前記シャッタを停止させる制御部と、を備えたことを特徴とする。
【手続補正５】
【補正対象書類名】明細書
【補正対象項目名】００１７
【補正方法】変更
【補正の内容】
【００１７】
本発明によれば、シャッタのホームポジション出しと位置制御を１つのセンサで共に確実に行うことができ、しかもセンサ一つ分のコストを低減するができる。